【手続補正書】
【提出日】平成24年2月22日(2012.2.22)
【手続補正１】
【補正対象書類名】特許請求の範囲
【補正対象項目名】全文
【補正方法】変更
【補正の内容】
【特許請求の範囲】
【請求項１】
電気的に直列に接続された複数の電池セルを有する電池セルグループが複数、電気的に直列に接続されてなる電池モジュールと、
前記複数の電池セルグループに対応して設けられた複数の電池セル制御装置と、
前記複数の電池セル制御装置に入出力される信号を伝送する信号伝送路と、を有し、
前記複数の電池セル制御装置の各々は、
対応する電池セルグループ内の各電池セルの端子電圧を計測するための電圧計測回路と、
前記電池セル制御装置内の異常を診断するための異常診断回路と、
前記端子電圧の計測が行われる計測期間を指示する信号を出力すると共に、前記計測期間指示信号の出力に同期して、前記異常診断回路による診断が行われる診断期間を指示する信号を出力するためのタイミング制御回路と、
前記電圧計測回路によって計測された端子電圧を表す信号、及び前記異常診断回路の診断結果に基づく信号を前記信号伝送路に出力するための通信回路と、を有しており、
前記異常診断回路は、前記診断期間指示信号に基づいて、前記端子電圧の計測に同期して前記電池セル制御装置内の異常を診断することを特徴とする車両用電源システム。
【請求項２】
請求項１に記載の車両用電源システムにおいて、
前記電圧計測回路は、
前記各電池セルの端子電圧から、計測対象の端子電圧を選択するための選択回路と、
前記選択回路により選択された端子電圧のアナログ値をデジタル値に変換するための変換回路と、を有しており、
前記異常診断回路は、前記診断期間指示信号に基づいて、前記端子電圧の計測に同期して前記選択回路の選択動作を診断することを特徴とする車両用電源システム。
【請求項３】
請求項２に記載の車両用電源システムにおいて、
前記タイミング制御回路は、前記電池セル毎に前記計測期間を指示する信号を出力すると共に、前記計測期間指示信号の出力に同期して、前記選択回路の選択動作の診断に関する診断期間を指示する信号を出力することを特徴とする車両用電源システム。
【請求項４】
請求項２に記載の車両用電源システムにおいて、
前記信号伝送路は、少なくとも、独立した第１及び第２信号伝送路を有しており、
前記第１信号伝送路には前記端子電圧を表す信号が伝送され、前記第２信号伝送路には前記選択回路の診断結果に基づく信号が伝送されることを特徴とする車両用電源システム。
【請求項５】
請求項４に記載の車両用電源システムにおいて、
前記第２信号伝送路に伝送される、前記診断結果に基づく信号は１ビットの信号であることを特徴とする車両用電源システム。
【請求項６】
電気的に直列に接続された複数の電池セルを有する電池セルグループが複数、電気的に直列に接続されてなる電池モジュールと、
前記複数の電池セルグループに対応して設けられた複数の電池セル制御装置と、
前記複数の電池セル制御装置に入出力される信号を伝送する信号伝送路と、を有し、
前記複数の電池セル制御装置の各々は、対応する電池セルグループの各電池セルの端子電圧を計測するための電圧計測回路と、前記電圧計測回路から出力された端子電圧値と、前記電池セルの過充放電を診断するための電圧閾値とを比較するための比較回路と、前記比較回路の比較結果に基づいて、前記過充放電であると診断された場合には、前記過充放電に対応する診断結果を表す信号を出力するための診断結果出力回路と、前記電池セル制御装置内の異常診断に用いられる値であり、前記比較回路に入力される入力値に対して既知の大小関係にある比較値を発生するための比較値発生回路と、前記電圧計測回路によって計測された端子電圧を表す信号、及び前記診断結果信号に基づく異常信号を前記信号伝送路に出力するための通信回路と、を有しており、前記比較回路によって前記入力値と前記比較値とを比較し、この結果が前記既知の大小関係と異なる場合には、前記電池セル制御装置内に異常があるとして、前記電池セル制御装置内の異常に対応する診断結果信号を前記診断結果出力回路から出力することを特徴とする車両用電源システム。
【請求項７】
請求項６に記載の車両用電源システムにおいて、
電圧を発生する電圧発生回路を有し、前記電圧発生回路の発生電圧を前記電圧計測回路により計測すると共に、前記発生電圧の計測値を前記入力値として前記比較回路に入力し、前記発生電圧に対応して発生された前記比較値との比較結果が前記既知の大小関係と異なる場合には、前記電圧計測回路に異常があるとして、前記電圧計測回路の異常に対応する診断結果信号を前記診断結果出力回路から出力することを特徴とする車両用電源システム。
【請求項８】
請求項７に記載の車両用電源システムにおいて、
前記信号伝送路は、少なくとも、独立した第１及び第２信号伝送路を有しており、
前記第１信号路には前記端子電圧を表す信号が伝送され、前記第２信号伝送路には前記電圧計測回路の診断結果に基づく信号が伝送されることを特徴とする車両用電源システム。
【請求項９】
請求項８に記載の車両用電源システムにおいて、
前記第２信号伝送路に伝送される、前記診断結果に基づく信号は１ビットの信号であることを特徴とする車両用電源システム。
【請求項１０】
請求項６に記載の車両用電源システムにおいて、
前記過充放電を診断するための電圧閾値の一つを前記入力値として、前記電圧閾値の一つを増減させた値を、前記入力値に対して既知の大小関係にある比較値として、それぞれ、前記比較回路に入力すると共に、前記電圧閾値の一つと、前記電圧閾値の一つを増減させた値とを比較し、この比較結果が、前記既知の大小関係と異なる場合には、前記比較回路に異常があるとして、前記比較回路の異常に対応する診断結果信号を前記診断結果出力回路から出力することを特徴とする車両用電源システム。
【請求項１１】
請求項１０に記載の車両用電源システムにおいて、
前記信号伝送路は、少なくとも、独立した第１及び第２信号伝送路を有しており、
前記第１信号路には前記端子電圧を表す信号が伝送され、前記第２信号伝送路には前記比較回路の診断結果に基づく信号が伝送されることを特徴とする車両用電源システム。
【請求項１２】
請求項１１に記載の車両用電源システムにおいて、
前記第２信号伝送路に伝送される、前記診断結果に基づく信号は１ビットの信号であることを特徴とする車両用電源システム。
【請求項１３】
請求項６に記載の車両用電源システムにおいて、
電圧を発生する電圧発生回路を有し、
前記電圧発生回路の発生電圧を前記電圧計測回路により計測すると共に、前記発生電圧の計測値を前記入力値として前記比較回路に入力し、前記発生電圧に対応して発生された前記比較値との比較結果が前記既知の大小関係と異なる場合には、前記電圧計測回路に異常があるとして、前記電圧計測回路の異常に対応する診断結果信号を前記診断結果出力回路から出力し、前記過充放電を診断するための電圧閾値の一つを前記入力値として、前記電圧閾値の一つを増減させた値を、前記入力値に対して既知の大小関係にある比較値として、それぞれ、前記比較回路に入力すると共に、前記電圧閾値の一つと、前記電圧閾値の一つを増減させた値とを比較し、この比較結果が、前記既知の大小関係と異なる場合には、前記比較回路に異常があるとして、前記比較回路の異常に対応する診断結果信号を前記診断結果出力回路から出力することを特徴とする車両用電源システム。
【請求項１４】
電気的に直列に接続された複数の電池セルを有する電池セルグループが複数、電気的に直列に接続されてなる電池モジュールと、
前記複数の電池セルグループに対応して設けられた複数の電池セル制御装置と、
前記複数の電池セル制御装置に入出力される信号を伝送する信号伝送路と、を有し、
前記複数の電池セル制御装置の各々は、対応する電池セルグループの各電池セルの端子電圧を計測するための電圧計測回路と、前記電圧計測回路から出力された端子電圧値と、前記電池セルの過充放電を診断するための電圧閾値とを比較するための比較回路と、前記比較回路の比較結果に基づいて、前記過充放電であると診断された場合には、前記過充放電に対応する診断結果信号を出力するための診断結果出力回路と、前記電池セル制御装置内の異常診断に用いられる値であり、前記比較回路に入力される入力値に対して既知の大小関係にある比較値を発生するための比較値発生回路と、前記電圧計測回路によって計測された端子電圧を表す信号、及び前記診断結果信号に基づく異常信号を前記信号伝送路に出力するための通信回路と、前記端子電圧の計測が行われる計測期間を指示する信号を出力すると共に、前記計測期間指示信号の出力に同期して、前記電池セル制御装置内の異常診断が行われる診断期間を指示する信号を出力するためのタイミング制御回路と、を有しており、
前記診断期間指示信号に基づいて、前記端子電圧の計測に同期して前記電池セル制御装置内の異常を診断する第１診断と、前記比較回路によって前記入力値と前記比較値とを比較した結果が、前記既知の大小関係と異なるか否かに基づいて、前記電池セル制御装置内の異常を診断する第２診断とを実行し、前記電池セル制御装置内に異常がある場合には、前記電池セル制御装置内の異常に対応する診断結果信号を前記診断結果出力回路から出力して、この出力された診断結果信号に基づく異常信号を前記通信回路から前記信号伝送路に出力することを特徴とする車両用電源システム。
【請求項１５】
請求項１４に記載の車両用電源システムにおいて、
前記タイミング制御回路は、前記電池セル毎に前記計測期間を指示する信号を出力すると共に、前記計測期間指示信号の出力に同期して、前記選択回路の選択動作の診断に関する診断期間を指示する信号を出力することを特徴とする車両用電源システム。
【請求項１６】
請求項１４に記載の車両用電源システムにおいて、
前記信号伝送路は、少なくとも、独立した第１及び第２信号伝送路を有しており、
前記第１信号路には前記端子電圧を表す信号が伝送され、
前記第２信号伝送路には前記第１及び第２診断の結果に基づく信号が伝送されることを特徴とする車両用電源システム。
【請求項１７】
請求項１６に記載の車両用電源システムにおいて、
前記第２信号伝送路に伝送される、前記診断結果に基づく信号は１ビットの信号であることを特徴とする車両用電源システム。
【請求項１８】
直列に接続された複数のリチウム電池セルを有するリチウム電池グループが複数、直列に接続されてなるリチウム電池モジュールと、
前記複数のリチウム電池グループに対応して設けられた複数の集積回路と、
前記複数の集積回路に入出力される信号を伝送する信号伝送路と、を有し、
前記複数の集積回路の各々は、対応するリチウム電池グループの各リチウム電池セルの端子電圧から計測対象となる端子電圧を選択するための選択回路と、前記選択回路から出力された端子電圧をアナログ値からデジタル値に変換するためのアナログデジタル変換器と、前記アナログデジタル変換器から出力された端子電圧のデジタル値と過充放電診断用の電圧閾値とを比較するためのデジタル比較回路と、前記デジタル比較回路の比較結果に基づいて、異常を表す信号を前記信号伝送路に送信するための通信回路と、所定電圧を発生させるための電圧発生回路と、前記所定電圧に対して既知の大小関係にあるデジタル値を発生させるためのデジタル発生回路と、を有しており、
前記電圧発生回路において発生した所定の電圧を前記選択回路によって選択して、前記所定の電圧を前記アナログデジタル変換器によってデジタル値に変換すると共に、前記アナルグデジタル変換器から出力されたデジタル値と前記デジタル発生回路から出力されたデジタル値とを前記デジタル比較回路によって比較し、この比較結果が前記既知の大小関係と異なる場合には、前記異常信号を前記通信回路から前記信号伝送路に送信することを特徴とする車両用電源システム。
【請求項１９】
直列に接続された複数のリチウム電池セルを有するリチウム電池グループが複数、直列に接続されてなるリチウム電池モジュールと、
前記複数のリチウム電池グループに対応して設けられ、選択回路、アナログデジタル変換器、通信回路、診断回路、及び電圧発生回路を含む複数の回路が集積化された複数の集積回路と、
前記複数の集積回路に入出力される信号を伝送する信号伝送路と、を有し、
前記複数の集積回路の各々は、対応するリチウム電池グループの各リチウム電池セルから入力される端子電圧を前記選択回路によって選択し、この選択された端子電圧のアナログ値を前記アナログデジタル変換器によってデジタル値に変換し、この変換された端子電圧のデジタル値を前記通信回路から前記信号伝送路に送信するように構成されており、
さらに、前記複数の集積回路の各々は、前記電圧発生回路から出力された所定電圧を前記選択回路によって選択し、この選択された所定電圧のアナログ値を前記アナログデジタル変換器によってデジタル値に変換し、この変換された所定電圧のデジタル値に基づいて、前記診断回路によって前記集積回路の異常の有無を診断し、異常が有る場合には、異常を表す信号を前記通信回路から前記信号伝送路に送信するように構成されていることを特徴とする車両用電源システム。
【請求項２０】
請求項１９に記載の車両用電源システムにおいて、
前記集積回路は、回路の動作のタイミングを制御するためのステージ回路を有し、前記ステージ回路の出力に基づいて前記選択回路が動作すると共に、前記ステージ回路の出力に基づいて前記診断回路が所定周期で動作することを特徴とする車両用電源システム。
【請求項２１】
直列に接続された複数のリチウム電池セルを有するリチウム電池グループが複数、直列に接続されてなるリチウム電池モジュールと、
前記複数のリチウム電池グループに対応して設けられ、選択回路、アナログデジタル変換器、シリアル通信回路、１ビット通信回路、診断回路、及び電圧発生回路を含む複数の回路が集積化された複数の集積回路と、
前記複数の集積回路に入出力される信号を伝送する複数の信号伝送路と、を有し、
前記複数の集積回路の各々は、対応するリチウム電池グループの各リチウム電池セルから入力される端子電圧を前記選択回路によって選択し、この選択された端子電圧のアナログ値を前記アナログデジタル変換器によってデジタル値に変換し、この変換された端子電圧のデジタル値を前記シリアル通信回路から前記信号伝送路の一つに送信するように構成されており、
さらに、前記複数の集積回路の各々は、前記電圧発生回路から出力された所定電圧を前記選択回路によって選択し、この選択された所定電圧のアナログ値を前記アナログデジタル変換器によってデジタル値に変換し、この変換された所定電圧のデジタル値に基づいて、前記診断回路によって前記集積回路の異常の有無を診断し、異常が有る場合には、異常を表す１ビット信号を前記１ビット通信回路から前記信号伝送路の他の一つに送信するように構成されていることを特徴とする車両用電源システム。
【請求項２２】
請求項２１に記載の車両用電源システムにおいて、
前記集積回路は、回路の動作のタイミングを制御するためのステージ回路を有し、前記ステージ回路の出力に基づいて前記選択回路が動作すると共に、前記ステージ回路の出力に基づいて前記診断回路が所定周期で動作することを特徴とする車両用電源システム。
【請求項２３】
直列に接続された複数のリチウム電池セルを有するリチウム電池グループが複数、直列に接続されてなるリチウム電池モジュールと、
前記複数のリチウム電池グループに対応して設けられた複数の集積回路と、
前記複数の集積回路に入出力される信号を伝送する複数の信号伝送路と、を有し、
前記複数の集積回路の各々は、対応するリチウム電池グループの各リチウム電池セルの端子電圧から計測対象となる端子電圧を選択するための選択回路と、前記選択回路から出力された端子電圧をアナログ値からデジタル値に変換するためのアナログデジタル変換器と、前記アナログデジタル変換器から出力された端子電圧のデジタル値と過充放電診断用の電圧閾値とを比較するためのデジタル比較回路と、前記端子電圧のデジタル値、及び異常を表す信号を送信するための通信回路と、所定電圧を発生させるための電圧発生回路と、前記所定電圧に対して既知の大小関係にあるデジタル値を発生させるためのデジタル発生回路と、を有しており、
前記通信回路は、シリアル伝送用端子及び１ビット信号伝送用端子を有しており、
前記シリアル伝送用端子は、電気的に直列に接続される集積回路の一方側におけるシリアル伝送用端子の送信側が、その他方側におけるシリアル伝送用端子の受信側に前記信号伝送路の一つを介して電気的に接続されることにより、電気的に直列に接続されており、
前記１ビット信号伝送用端子は、電気的に直列に接続される集積回路の一方側における１ビット信号伝送用端子の送信側が、その他方側におけ１ビット信号伝送用端子の受信側に前記信号伝送路の他の一つを介して電気的に接続されることにより、電気的に直列に接続されており、
前記電圧発生回路において発生した所定の電圧を前記選択回路によって選択して、前記所定の電圧を前記アナログデジタル変換器によってデジタル値に変換すると共に、前記アナログデジタル変換器から出力されたデジタル値と前記デジタル発生回路から出力されたデジタル値とを前記デジタル比較回路によって比較し、この比較結果が前記既知の大小関係と異なる場合には、前記異常信号を前記通信回路から前記1ビット信号伝送用端子を介して前記信号伝送路の他の一つに送信しており、
前記複数の集積回路の一つから送信された前記異常信号は、前記信号伝送路の他の一つを介して他の集積回路に送信され、前記他の集積回路の１ビット信号伝送用端子の受信側を介して前記他の集積回路に入力されることを特徴とする車両用電源システム。
【請求項２４】
電気的に直列に接続された複数の電池セルに電気的に接続され、前記各電池セルの端子電圧を計測するために設けられる集積回路であって、
前記各電池セルの端子電圧を取り込むための複数の電圧取込端子と、
前記複数の電圧取込端子から取り込まれた前記各電池セルの端子電圧を計測するための電圧計測回路と、
前記端子電圧の計測が行われる計測期間を指示する信号を出力すると共に、前記計測期間指示信号の出力に同期して、異常診断が行われる診断期間を指示する信号を出力するためのタイミング制御回路と、
前記診断期間指示信号に基づいて、前記端子電圧の計測に同期して集積回路内の異常を診断するための異常診断回路と、
前記電圧計測回路によって計測された端子電圧を表す信号、及び前記異常診断回路の診断結果に基づく信号を送信するための通信回路と、
前記通信回路に電気的に接続され、信号を送受信するための信号端子と、を有することを特徴とする電池セル制御用集積回路。
【請求項２５】
電気的に直列に接続された複数の電池セルに電気的に接続され、前記各電池セルの端子電圧を計測するために設けられる集積回路であって、
前記各電池セルの端子電圧を取り込むための複数の電圧取込端子と、
前記複数の電圧取込端子から取り込まれた前記各電池セルの端子電圧を計測するための電圧計測回路と、
前記電圧計測回路から出力された端子電圧値と、前記電池セルの過充放電を診断するための電圧閾値とを比較するための比較回路と、
前記比較回路の比較結果に基づいて、前記過充放電であると診断された場合には、前記過充放電に対応する診断結果を表す信号を出力するための診断結果出力回路と、
集積回路内の異常診断に用いられる値であり、前記比較回路に入力される入力値に対して既知の大小関係にある比較値を発生するための比較値発生回路と、
前記電圧計測回路によって計測された端子電圧を表す信号、及び前記診断結果信号に基づく異常信号を出力するための通信回路と、
前記通信回路に電気的に接続され、信号を送受信するための信号端子と、を有し、
前記比較回路によって前記入力値と前記比較値とを比較し、この結果が前記既知の大小関係と異なる場合には、集積回路内に異常があるとして、集積回路内の異常に対応する診断結果信号を前記診断結果出力回路から出力することを特徴とする電池セル制御用集積回路。
【請求項２６】
電気的に直列に接続された複数の電池セルに電気的に接続され、前記各電池セルの端子電圧を計測するために設けられる集積回路であって、
前記各電池セルの端子電圧を取り込むための複数の電圧取込端子と、
前記複数の電圧取込端子から取り込まれた前記各電池セルの端子電圧を計測するための電圧計測回路と、
前記電圧計測回路から出力された端子電圧値と、前記電池セルの過充放電を診断するための電圧閾値とを比較するための比較回路と、
前記比較回路の比較結果に基づいて、前記過充放電であると診断された場合には、前記過充放電に対応する診断結果信号を出力するための診断結果出力回路と、
集積回路内の異常診断に用いられる値であり、前記比較回路に入力される入力値に対して既知の大小関係にある比較値を発生するための比較値発生回路と、
前記電圧計測回路によって計測された端子電圧を表す信号、及び前記診断結果信号に基づく異常信号を前記信号伝送路に出力するための通信回路と、
前記端子電圧の計測が行われる計測期間を指示する信号を出力すると共に、前記計測期間指示信号の出力に同期して、集積回路内の異常診断が行われる診断期間を指示する信号を出力するためのタイミング制御回路と、
前記通信回路に電気的に接続され、信号を送受信するための信号端子と、を有し、
前記診断期間指示信号に基づいて、前記端子電圧の計測に同期して集積回路内の異常を診断する第１診断と、前記比較回路によって前記入力値と前記比較値とを比較した結果が、前記既知の大小関係と異なるか否かに基づいて、集積回路内の異常を診断する第２診断とを実行し、集積回路内に異常がある場合には、集積回路内の異常に対応する診断結果信号を前記診断結果出力回路から出力して、この出力された診断結果信号に基づく異常信号を前記通信回路から前記送信端子を介して出力することを特徴とする電池セル制御用集積回路。
【請求項２７】
電気的に直列に接続された複数のリチウム電池セルに電気的に接続され、前記各リチウム電池セルの端子電圧を計測するために設けられる集積回路であって、
複数の電圧取込端子、信号送受信端子、選択回路、アナログデジタル変換器、通信回路、診断回路、及び電圧発生回路を有し、
前記各リチウム電池セルから前記複数の電圧取込端子を介して入力される端子電圧を前記選択回路によって選択し、この選択された端子電圧のアナログ値を前記アナログデジタル変換器によってデジタル値に変換し、この変換された端子電圧のデジタル値を前記通信回路から前記信号送信端子を介して送信するように構成されていると共に、
前記電圧発生回路から出力された所定電圧を前記選択回路によって選択し、この選択された所定電圧のアナログ値を前記アナログデジタル変換器によってデジタル値に変換し、この変換された所定電圧のデジタル値に基づいて、前記診断回路によって集積回路の異常の有無を診断し、異常が有る場合には、異常を表す信号を前記通信回路から前記信号送信端子を介して送信するように構成されていることを特徴とする電池セル制御用集積回路。
【請求項２８】
電気的に直列に接続された複数のリチウム電池セルに電気的に接続され、前記各リチウム電池セルの端子電圧を計測するために設けられる集積回路であって、
複数の電圧取込端子、複数の信号送受信端子、選択回路、アナログデジタル変換器、シリアル通信回路、１ビット通信回路、診断回路、及び電圧発生回路を有し、
前記各リチウム電池セルから前記複数の電圧取込端子を介して入力される端子電圧を前記選択回路によって選択し、この選択された端子電圧のアナログ値を前記アナログデジタル変換器によってデジタル値に変換し、この変換された端子電圧のデジタル値を前記シリアル通信回路から前記複数の信号送信端子の一つを介して送信するように構成されていると共に、
前記電圧発生回路から出力された所定電圧を前記選択回路によって選択し、この選択された所定電圧のアナログ値を前記アナログデジタル変換器によってデジタル値に変換し、この変換された所定電圧のデジタル値に基づいて、前記診断回路によって集積回路の異常の有無を診断し、異常が有る場合には、異常を表す信号を前記１ビット通信回路から前記複数の信号送信端子の他の一つを介して送信するように構成されていることを特徴とする電池セル制御用集積回路。
【請求項２９】
電気的に直列に接続された複数のリチウム電池セルに電気的に接続され、前記各リチウム電池セルの端子電圧を計測するために設けられる集積回路であって、
複数の電圧取込端子、信号送受信端子、選択回路、アナログデジタル変換器、通信回路、診断回路、デジタル比較回路、及びデジタル値出力回路を有し、
前記各リチウム電池セルから前記複数の電圧取込端子を介して入力される端子電圧を前記選択回路によって選択し、この選択された端子電圧のアナログ値を前記アナログデジタル変換器によってデジタル値に変換し、この変換された端子電圧のデジタル値を前記通信回路から前記信号送信端子を介して送信するように構成されていると共に、
第１デジタル値、及び前記第１デジタル値に対して所定の大小関係にある第２デジタル値を前記デジタル値出力回路から出力し、前記第１及び第２デジタル値を前記デジタル比較回路によって比較し、この比較結果が前記所定の大小関係にあるか否かに基づいて、前記診断回路によって集積回路の異常の有無を診断し、異常が有る場合には、異常を表す信号を前記通信回路から前記信号送信端子を介して送信するように構成されていることを特徴とする電池セル制御用集積回路。
【手続補正２】
【補正対象書類名】明細書
【補正対象項目名】発明の名称
【補正方法】変更
【補正の内容】
【発明の名称】車両用電源システムおよび電池セル制御用集積回路
【手続補正３】
【補正対象書類名】明細書
【補正対象項目名】０００１
【補正方法】変更
【補正の内容】
【０００１】
本発明は車両用電源システムおよび電池セル制御用集積回路に関する。
【手続補正４】
【補正対象書類名】明細書
【補正対象項目名】０００８
【補正方法】変更
【補正の内容】
【０００８】
（１）請求項１に記載の発明は、電気的に直列に接続された複数の電池セルを有する電池セルグループが複数、電気的に直列に接続されてなる電池モジュールと、複数の電池セルグループに対応して設けられた複数の電池セル制御装置と、複数の電池セル制御装置に入出力される信号を伝送する信号伝送路と、を有し、複数の電池セル制御装置の各々は、対応する電池セルグループ内の各電池セルの端子電圧を計測するための電圧計測回路と、電池セル制御装置内の異常を診断するための異常診断回路と、端子電圧の計測が行われる計測期間を指示する信号を出力すると共に、計測期間指示信号の出力に同期して、異常診断回路による診断が行われる診断期間を指示する信号を出力するためのタイミング制御回路と、電圧計測回路によって計測された端子電圧を表す信号、及び異常診断回路の診断結果に基づく信号を信号伝送路に出力するための通信回路と、を有しており、異常診断回路は、診断期間指示信号に基づいて、端子電圧の計測に同期して電池セル制御装置内の異常を診断することを特徴とする車両用電源システムである。
（２）請求項２に記載の発明は、請求項１に記載の車両用電源システムにおいて、電圧計測回路は、各電池セルの端子電圧から、計測対象の端子電圧を選択するための選択回路と、選択回路により選択された端子電圧のアナログ値をデジタル値に変換するための変換回路と、を有しており、異常診断回路は、診断期間指示信号に基づいて、端子電圧の計測に同期して選択回路の選択動作を診断することを特徴とする。
（３）請求項３に記載の発明は、請求項２に記載の車両用電源システムにおいて、タイミング制御回路は、電池セル毎に計測期間を指示する信号を出力すると共に、計測期間指示信号の出力に同期して、選択回路の選択動作の診断に関する診断期間を指示する信号を出力することを特徴とする。
（４）請求項４に記載の発明は、請求項２に記載の車両用電源システムにおいて、信号伝送路は、少なくとも、独立した第１及び第２信号伝送路を有しており、第１信号路には端子電圧を表す信号が伝送され、第２信号伝送路には選択回路の診断結果に基づく信号が伝送されることを特徴とする。
（５）請求項５に記載の発明は、請求項４に記載の車両用電源システムにおいて、第２信号伝送路に伝送される、診断結果に基づく信号は１ビットの信号であることを特徴とする車両用電源システム。
（６）請求項６に記載の発明は、電気的に直列に接続された複数の電池セルを有する電池セルグループが複数、電気的に直列に接続されてなる電池モジュールと、複数の電池セルグループに対応して設けられた複数の電池セル制御装置と、複数の電池セル制御装置に入出力される信号を伝送する信号伝送路と、を有し、複数の電池セル制御装置の各々は、対応する電池セルグループの各電池セルの端子電圧を計測するための電圧計測回路と、電圧計測回路から出力された端子電圧値と、電池セルの過充放電を診断するための電圧閾値とを比較するための比較回路と、比較回路の比較結果に基づいて、過充放電であると診断された場合には、過充放電に対応する診断結果を表す信号を出力するための診断結果出力回路と、電池セル制御装置内の異常診断に用いられる値であり、比較回路に入力される入力値に対して既知の大小関係にある比較値を発生するための比較値発生回路と、電圧計測回路によって計測された端子電圧を表す信号、及び診断結果信号に基づく異常信号を信号伝送路に出力するための通信回路と、を有しており、比較回路によって入力値と比較値とを比較し、この結果が既知の大小関係と異なる場合には、電池セル制御装置内に異常があるとして、電池セル制御装置内の異常に対応する診断結果信号を診断結果出力回路から出力することを特徴とする。
（７）請求項７に記載の発明は、請求項６に記載の車両用電源システムにおいて、電圧を発生する電圧発生回路を有し、電圧発生回路の発生電圧を電圧計測回路により計測すると共に、発生電圧の計測値を入力値として比較回路に入力し、発生電圧に対応して発生された比較値との比較結果が既知の大小関係と異なる場合には、電圧計測回路に異常があるとして、電圧計測回路の異常に対応する診断結果信号を診断結果出力回路から出力することを特徴とする。
（８）請求項８に記載の発明は、請求項７に記載の車両用電源システムにおいて、信号伝送路は、少なくとも、独立した第１及び第２信号伝送路を有しており、第１信号伝送路には端子電圧を表す信号が伝送され、第２信号伝送路には電圧計測回路の診断結果に基づく信号が伝送されることを特徴とする。
（９）請求項９に記載の発明は、請求項８に記載の車両用電源システムにおいて、第２信号伝送路に伝送される、診断結果に基づく信号は１ビットの信号であることを特徴とする。
（１０）請求項１０に記載の発明は、請求項６に記載の車両用電源システムにおいて、過充放電を診断するための電圧閾値の一つを入力値として、電圧閾値の一つを増減させた値を、入力値に対して既知の大小関係にある比較値として、それぞれ、比較回路に入力すると共に、電圧閾値の一つと、電圧閾値の一つを増減させた値とを比較し、この比較結果が、既知の大小関係と異なる場合には、比較回路に異常があるとして、比較回路の異常に対応する診断結果信号を診断結果出力回路から出力することを特徴とする。
（１１）請求項１１に記載の発明は、請求項１０に記載の車両用電源システムにおいて、信号伝送路は、少なくとも、独立した第１及び第２信号伝送路を有しており、第１信号路には端子電圧を表す信号が伝送され、第２信号伝送路には比較回路の診断結果に基づく信号が伝送されることを特徴とする。
（１２）請求項１２に記載の発明は、請求項１１に記載の車両用電源システムにおいて、第２信号伝送路に伝送される、診断結果に基づく信号は１ビットの信号であることを特徴とする。
（１３）請求項１３に記載の発明は、請求項６に記載の車両用電源システムにおいて、 電圧を発生する電圧発生回路を有し、電圧発生回路の発生電圧を電圧計測回路により計測すると共に、発生電圧の計測値を入力値として比較回路に入力し、発生電圧に対応して発生された比較値との比較結果が既知の大小関係と異なる場合には、電圧計測回路に異常があるとして、電圧計測回路の異常に対応する診断結果信号を診断結果出力回路から出力し、過充放電を診断するための電圧閾値の一つを入力値として、電圧閾値の一つを増減させた値を、入力値に対して既知の大小関係にある比較値として、それぞれ、比較回路に入力すると共に、電圧閾値の一つと、電圧閾値の一つを増減させた値とを比較し、この比較結果が、既知の大小関係と異なる場合には、比較回路に異常があるとして、比較回路の異常に対応する診断結果信号を診断結果出力回路から出力することを特徴とする。
（１４）請求項１４に記載の発明は、電気的に直列に接続された複数の電池セルを有する電池セルグループが複数、電気的に直列に接続されてなる電池モジュールと、複数の電池セルグループに対応して設けられた複数の電池セル制御装置と、複数の電池セル制御装置に入出力される信号を伝送する信号伝送路と、を有し、複数の電池セル制御装置の各々は、対応する電池セルグループの各電池セルの端子電圧を計測するための電圧計測回路と、電圧計測回路から出力された端子電圧値と、電池セルの過充放電を診断するための電圧閾値とを比較するための比較回路と、比較回路の比較結果に基づいて、過充放電であると診断された場合には、過充放電に対応する診断結果信号を出力するための診断結果出力回路と、電池セル制御装置内の異常診断に用いられる値であり、比較回路に入力される入力値に対して既知の大小関係にある比較値を発生するための比較値発生回路と、電圧計測回路によって計測された端子電圧を表す信号、及び診断結果信号に基づく異常信号を信号伝送路に出力するための通信回路と、端子電圧の計測が行われる計測期間を指示する信号を出力すると共に、計測期間指示信号の出力に同期して、電池セル制御装置内の異常診断が行われる診断期間を指示する信号を出力するためのタイミング制御回路と、を有しており、診断期間指示信号に基づいて、端子電圧の計測に同期して電池セル制御装置内の異常を診断する第１診断と、比較回路によって入力値と比較値とを比較した結果が、既知の大小関係と異なるか否かに基づいて、電池セル制御装置内の異常を診断する第２診断とを実行し、電池セル制御装置内に異常がある場合には、電池セル制御装置内の異常に対応する診断結果信号を診断結果出力回路から出力して、この出力された診断結果信号に基づく異常信号を通信回路から信号伝送路に出力することを特徴とする。
（１５）請求項１５に記載の発明は、請求項１４に記載の車両用電源システムにおいて、タイミング制御回路は、電池セル毎に計測期間を指示する信号を出力すると共に、計測期間指示信号の出力に同期して、選択回路の選択動作の診断に関する診断期間を指示する信号を出力することを特徴とする。
（１６）請求項１６に記載の発明は、請求項１４に記載の車両用電源システムにおいて、信号伝送路は、少なくとも、独立した第１及び第２信号伝送路を有しており、第１信号路には端子電圧を表す信号が伝送され、第２信号伝送路には第１及び第２診断の結果に基づく信号が伝送されることを特徴とする。
（１７）請求項１７に記載の発明は、請求項１６に記載の車両用電源システムにおいて、第２信号伝送路に伝送される、診断結果に基づく信号は１ビットの信号であることを特徴とする。
（１８）請求項１８に記載の発明は、直列に接続された複数のリチウム電池セルを有するリチウム電池グループが複数、直列に接続されてなるリチウム電池モジュールと、複数のリチウム電池グループに対応して設けられた複数の集積回路と、複数の集積回路に入出力される信号を伝送する信号伝送路と、を有し、複数の集積回路の各々は、対応するリチウム電池グループの各リチウム電池セルの端子電圧から計測対象となる端子電圧を選択するための選択回路と、選択回路から出力された端子電圧をアナログ値からデジタル値に変換するためのアナログデジタル変換器と、アナログデジタル変換器から出力された端子電圧のデジタル値と過充放電診断用の電圧閾値とを比較するためのデジタル比較回路と、デジタル比較回路の比較結果に基づいて、異常を表す信号を信号伝送路に送信するための通信回路と、所定電圧を発生させるための電圧発生回路と、所定電圧に対して既知の大小関係にあるデジタル値を発生させるためのデジタル発生回路と、を有しており、電圧発生回路において発生した所定の電圧を選択回路によって選択して、所定の電圧をアナログデジタル変換器によってデジタル値に変換すると共に、アナルグデジタル変換器から出力されたデジタル値とデジタル発生回路から出力されたデジタル値とをデジタル比較回路によって比較し、この比較結果が既知の大小関係と異なる場合には、異常信号を通信回路から信号伝送路に送信することを特徴とする車両用電源システムである。
（１９）請求項１９に記載の発明は、直列に接続された複数のリチウム電池セルを有するリチウム電池グループが複数、直列に接続されてなるリチウム電池モジュールと、複数のリチウム電池グループに対応して設けられ、選択回路、アナログデジタル変換器、通信回路、診断回路、及び電圧発生回路を含む複数の回路が集積化された複数の集積回路と、複数の集積回路に入出力される信号を伝送する信号伝送路と、を有し、複数の集積回路の各々は、対応するリチウム電池グループの各リチウム電池セルから入力される端子電圧を選択回路によって選択し、この選択された端子電圧のアナログ値をアナログデジタル変換器によってデジタル値に変換し、この変換された端子電圧のデジタル値を通信回路から信号伝送路に送信するように構成されており、さらに、複数の集積回路の各々は、電圧発生回路から出力された所定電圧を選択回路によって選択し、この選択された所定電圧のアナログ値をアナログデジタル変換器によってデジタル値に変換し、この変換された所定電圧のデジタル値に基づいて、診断回路によって集積回路の異常の有無を診断し、異常が有る場合には、異常を表す信号を通信回路から信号伝送路に送信するように構成されていることを特徴とする車両用電源システムである。
（２０）請求項２０に記載の発明は、請求項１９に記載の車両用電源システムにおいて、集積回路は、回路の動作のタイミングを制御するためのステージ回路を有し、ステージ回路の出力に基づいて選択回路が動作すると共に、ステージ回路の出力に基づいて診断回路が所定周期で動作することを特徴とする。
（２１）請求項２１に記載の発明は、直列に接続された複数のリチウム電池セルを有するリチウム電池グループが複数、直列に接続されてなるリチウム電池モジュールと、複数のリチウム電池グループに対応して設けられ、選択回路、アナログデジタル変換器、シリアル通信回路、１ビット通信回路、診断回路、及び電圧発生回路を含む複数の回路が集積化された複数の集積回路と、複数の集積回路に入出力される信号を伝送する複数の信号伝送路と、を有し、複数の集積回路の各々は、対応するリチウム電池グループの各リチウム電池セルから入力される端子電圧を選択回路によって選択し、この選択された端子電圧のアナログ値をアナログデジタル変換器によってデジタル値に変換し、この変換された端子電圧のデジタル値をシリアル通信回路から信号伝送路の一つに送信するように構成されており、さらに、複数の集積回路の各々は、電圧発生回路から出力された所定電圧を選択回路によって選択し、この選択された所定電圧のアナログ値をアナログデジタル変換器によってデジタル値に変換し、この変換された所定電圧のデジタル値に基づいて、診断回路によって集積回路の異常の有無を診断し、異常が有る場合には、異常を表す１ビット信号を１ビット通信回路から信号伝送路の他の一つに送信するように構成されていることを特徴とする車両用電源システムである。
（２２）請求項２２に記載の発明は、請求項２１に記載の車両用電源システムにおいて、集積回路は、回路の動作のタイミングを制御するためのステージ回路を有し、ステージ回路の出力に基づいて選択回路が動作すると共に、ステージ回路の出力に基づいて診断回路が所定周期で動作することを特徴とする。
（２３）請求項２３に記載の発明は、直列に接続された複数のリチウム電池セルを有するリチウム電池グループが複数、直列に接続されてなるリチウム電池モジュールと、複数のリチウム電池グループに対応して設けられた複数の集積回路と、複数の集積回路に入出力される信号を伝送する複数の信号伝送路と、を有し、複数の集積回路の各々は、対応するリチウム電池グループの各リチウム電池セルの端子電圧から計測対象となる端子電圧を選択するための選択回路と、選択回路から出力された端子電圧をアナログ値からデジタル値に変換するためのアナログデジタル変換器と、アナログデジタル変換器から出力された端子電圧のデジタル値と過充放電診断用の電圧閾値とを比較するためのデジタル比較回路と、端子電圧のデジタル値、及び異常を表す信号を送信するための通信回路と、所定電圧を発生させるための電圧発生回路と、所定電圧に対して既知の大小関係にあるデジタル値を発生させるためのデジタル発生回路と、を有しており、通信回路は、シリアル伝送用端子及び１ビット信号伝送用端子を有しており、シリアル伝送用端子は、電気的に直列に接続される集積回路の一方側におけるシリアル伝送用端子の送信側が、その他方側におけるシリアル伝送用端子の受信側に信号伝送路の一つを介して電気的に接続されることにより、電気的に直列に接続されており、１ビット信号伝送用端子は、電気的に直列に接続される集積回路の一方側における１ビット信号伝送用端子の送信側が、その他方側におけ１ビット信号伝送用端子の受信側に信号伝送路の他の一つを介して電気的に接続されることにより、電気的に直列に接続されており、電圧発生回路において発生した所定の電圧を選択回路によって選択して、所定の電圧をアナログデジタル変換器によってデジタル値に変換すると共に、アナルグデジタル変換器から出力されたデジタル値とデジタル発生回路から出力されたデジタル値とをデジタル比較回路によって比較し、この比較結果が既知の大小関係と異なる場合には、異常信号を通信回路から1ビット信号伝送用端子を介して信号伝送路の他の一つに送信しており、複数の集積回路の一つから送信された異常信号は、信号伝送路の他の一つを介して他の集積回路に送信され、他の集積回路の１ビット信号伝送用端子の受信側を介して他の集積回路に入力されることを特徴とする車両用電源システムである。
（２４）請求項２４に記載の発明は、電気的に直列に接続された複数の電池セルに電気的に接続され、各電池セルの端子電圧を計測するために設けられる集積回路であって、各電池セルの端子電圧を取り込むための複数の電圧取込端子と、複数の電圧取込端子から取り込まれた各電池セルの端子電圧を計測するための電圧計測回路と、端子電圧の計測が行われる計測期間を指示する信号を出力すると共に、計測期間指示信号の出力に同期して、異常診断が行われる診断期間を指示する信号を出力するためのタイミング制御回路と、診断期間指示信号に基づいて、端子電圧の計測に同期して集積回路内の異常を診断するための異常診断回路と、電圧計測回路によって計測された端子電圧を表す信号、及び異常診断回路の診断結果に基づく信号を送信するための通信回路と、通信回路に電気的に接続され、信号を送受信するための信号端子と、を有することを特徴とする電池セル制御用集積回路である。
（２５）請求項２５に記載の発明は、電気的に直列に接続された複数の電池セルに電気的に接続され、各電池セルの端子電圧を計測するために設けられる集積回路であって、各電池セルの端子電圧を取り込むための複数の電圧取込端子と、複数の電圧取込端子から取り込まれた各電池セルの端子電圧を計測するための電圧計測回路と、電圧計測回路から出力された端子電圧値と、電池セルの過充放電を診断するための電圧閾値とを比較するための比較回路と、比較回路の比較結果に基づいて、過充放電であると診断された場合には、過充放電に対応する診断結果を表す信号を出力するための診断結果出力回路と、集積回路内の異常診断に用いられる値であり、比較回路に入力される入力値に対して既知の大小関係にある比較値を発生するための比較値発生回路と、電圧計測回路によって計測された端子電圧を表す信号、及び診断結果信号に基づく異常信号を出力するための通信回路と、通信回路に電気的に接続され、信号を送受信するための信号端子と、を有し、比較回路によって入力値と比較値とを比較し、この結果が既知の大小関係と異なる場合には、集積回路内に異常があるとして、集積回路内の異常に対応する診断結果信号を診断結果出力回路から出力することを特徴とする電池セル制御用集積回路である。
（２６）請求項２６に記載の発明は、電気的に直列に接続された複数の電池セルに電気的に接続され、各電池セルの端子電圧を計測するために設けられる集積回路であって、各電池セルの端子電圧を取り込むための複数の電圧取込端子と、複数の電圧取込端子から取り込まれた各電池セルの端子電圧を計測するための電圧計測回路と、電圧計測回路から出力された端子電圧値と、電池セルの過充放電を診断するための電圧閾値とを比較するための比較回路と、比較回路の比較結果に基づいて、過充放電であると診断された場合には、過充放電に対応する診断結果信号を出力するための診断結果出力回路と、集積回路内の異常診断に用いられる値であり、比較回路に入力される入力値に対して既知の大小関係にある比較値を発生するための比較値発生回路と、電圧計測回路によって計測された端子電圧を表す信号、及び診断結果信号に基づく異常信号を信号伝送路に出力するための通信回路と、端子電圧の計測が行われる計測期間を指示する信号を出力すると共に、計測期間指示信号の出力に同期して、集積回路内の異常診断が行われる診断期間を指示する信号を出力するためのタイミング制御回路と、通信回路に電気的に接続され、信号を送受信するための信号端子と、を有し、診断期間指示信号に基づいて、端子電圧の計測に同期して集積回路内の異常を診断する第１診断と、比較回路によって入力値と比較値とを比較した結果が、既知の大小関係と異なるか否かに基づいて、集積回路内の異常を診断する第２診断とを実行し、集積回路内に異常がある場合には、集積回路内の異常に対応する診断結果信号を診断結果出力回路から出力して、この出力された診断結果信号に基づく異常信号を通信回路から送信端子を介して出力することを特徴とする電池セル制御用集積回路である。
（２７）請求項２７に記載の発明は、電気的に直列に接続された複数のリチウム電池セルに電気的に接続され、各リチウム電池セルの端子電圧を計測するために設けられる集積回路であって、複数の電圧取込端子、信号送受信端子、選択回路、アナログデジタル変換器、通信回路、診断回路、及び電圧発生回路を有し、各リチウム電池セルから複数の電圧取込端子を介して入力される端子電圧を選択回路によって選択し、この選択された端子電圧のアナログ値をアナログデジタル変換器によってデジタル値に変換し、この変換された端子電圧のデジタル値を通信回路から信号送信端子を介して送信するように構成されていると共に、電圧発生回路から出力された所定電圧を選択回路によって選択し、この選択された所定電圧のアナログ値をアナログデジタル変換器によってデジタル値に変換し、この変換された所定電圧のデジタル値に基づいて、診断回路によって集積回路の異常の有無を診断し、異常が有る場合には、異常を表す信号を通信回路から信号送信端子を介して送信するように構成されていることを特徴とする電池セル制御用集積回路である。
（２８）請求項２８に記載の発明は、電気的に直列に接続された複数のリチウム電池セルに電気的に接続され、各リチウム電池セルの端子電圧を計測するために設けられる集積回路であって、複数の電圧取込端子、複数の信号送受信端子、選択回路、アナログデジタル変換器、シリアル通信回路、１ビット通信回路、診断回路、及び電圧発生回路を有し、各リチウム電池セルから複数の電圧取込端子を介して入力される端子電圧を選択回路によって選択し、この選択された端子電圧のアナログ値をアナログデジタル変換器によってデジタル値に変換し、この変換された端子電圧のデジタル値をシリアル通信回路から複数の信号送信端子の一つを介して送信するように構成されていると共に、電圧発生回路から出力された所定電圧を選択回路によって選択し、この選択された所定電圧のアナログ値をアナログデジタル変換器によってデジタル値に変換し、この変換された所定電圧のデジタル値に基づいて、診断回路によって集積回路の異常の有無を診断し、異常が有る場合には、異常を表す信号を１ビット通信回路から複数の信号送信端子の他の一つを介して送信するように構成されていることを特徴とする電池セル制御用集積回路である。
（２９）請求項２９に記載の発明は、電気的に直列に接続された複数のリチウム電池セルに電気的に接続され、各リチウム電池セルの端子電圧を計測するために設けられる集積回路であって、複数の電圧取込端子、信号送受信端子、選択回路、アナログデジタル変換器、通信回路、診断回路、デジタル比較回路、及びデジタル値出力回路を有し、各リチウム電池セルから複数の電圧取込端子を介して入力される端子電圧を選択回路によって選択し、この選択された端子電圧のアナログ値をアナログデジタル変換器によってデジタル値に変換し、この変換された端子電圧のデジタル値を通信回路から信号送信端子を介して送信するように構成されていると共に、第１デジタル値、及び第１デジタル値に対して所定の大小関係にある第２デジタル値をデジタル値出力回路から出力し、第１及び第２デジタル値をデジタル比較回路によって比較し、この比較結果が所定の大小関係にあるか否かに基づいて、診断回路によって集積回路の異常の有無を診断し、異常が有る場合には、異常を表す信号を通信回路から信号送信端子を介して送信するように構成されていることを特徴とする電池セル制御用集積回路である。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】